(57)【特許請求の範囲】
【請求項１】
スキー板の上面に固定し、かつ、自身の上面にビンディングを取り付けるプレートにおいて、
下面の長手方向中央部に、該長手方向の両端が上記下面の上記長手方向の両端よりも中央部側に位置する凹部を形成した合成樹脂製の基材と、
該基材の上記凹部に嵌合固定した、該凹部と略同一形状で上記合成樹脂よりヤング率が高い材料からなる補強板と、
を備えることを特徴とするスキー用プレート。
【請求項２】
請求項１記載のスキー用プレートにおいて、
上記ビンディングの少なくとも一部が上記補強板の直上に位置するスキー用プレート。
【発明の詳細な説明】
【技術分野】
【０００１】
本発明は、自身の上面にビンディングを固定した上でスキー板の上面に固定するスキー用プレートに関する。
【背景技術】
【０００２】
自身の上面にビンディングを固定したプレートを、スキー板の上面に固定することが従来から行われている。プレートをスキー板に固定することにより、滑走時のエッジホールド性及び回転滑走時におけるエッジの操作性が高まり、しかも滑走時に生じる振動を減衰することができる。
この種のプレートは一般的に合成樹脂製である。合成樹脂製のプレートはスキー板に比べて剛性が小さいため、このようなプレートをスキー板に固定しても、スキー板が有する特有の滑らかな撓み易さが損なわれることはなく、それ故、スキー板の滑走性（ターンのし易さ等）が損なわれることはない。
【０００３】
さらに、このようなプレートの上面全体にアルミニウム製の補強板を固定したものや、プレートの下面の前後２カ所に凹部を形成した上で、前後の凹部にアルミニウム製の補強板をそれぞれ設けたものがある。
プレートをこのような構成にすれば、スキー板における補強板の直下に位置する部分の剛性が高くなるので、当該部分の雪面グリップ性能が向上する。
【先行技術文献】
【特許文献】
【０００４】
【特許文献１】特開２００８−３６２１２号公報
【発明の概要】
【発明が解決しようとする課題】
【０００５】
ブーツから圧力を受けるとプレートは前部及び後部が中央部より上側に曲がる態様で撓み、かつスキー板の曲げの中立面からプレート下面までの距離よりプレート上面までの距離が長いため、プレートの上面に生じる圧縮応力はプレート下面に生じる圧縮応力より大きい。それ故、プレートの上面に補強板を固定したものはプレート全体が撓み難くなる。その上、上記のものはプレートの上面全体に補強板を固定しているので、プレートの中央部だけでなく前部と後部も撓み難くい。
そのため、上面全体に補強板を設けたプレートをスキー板に固定すると、スキー板が有する滑らかな撓みが損なわれてしまい、スキー板の全長に渡る滑らかな滑走性が失われてしまう。
【０００６】
一方、プレートの下面の前後２カ所に補強板をそれぞれ設けたものは、プレートの前部と後部が撓み難い。そのため当該プレートをスキー板に固定すると、スキー板が有する特有の滑らかな撓み易さが損なわれ、スキー板の滑らかな滑走性が失われてしまう。
また、プレートの中央部の剛性が前部及び後部より低いため、ブーツからプレートに伝わった圧力は、ブーツ直下部ではなく補強板を設けた部分（ブーツの前方及び後方）に集中し易い。しかも、スキー板の捻り抵抗に大きな影響を与えるプレートの中央部の剛性は低いままなので、回転滑走時にスキー板の中央部が捻れやすい。そのため、回転滑走時におけるスキー板の中央部（ブーツの直下部）の雪面グリップ性能が不十分になり易い。
【０００７】
本発明の目的は、スキー板が有する撓み易さを必要以上に損なうことなく、回転滑走時におけるブーツ直下部の雪面グリップ性能を向上させることにより、スキー板の操作性を向上させることが可能なスキー用プレートを提供することにある。
【課題を解決するための手段】
【０００８】
本発明のスキー用プレートは、スキー板の上面に固定し、かつ、自身の上面にビンディングを取り付けるプレートにおいて、下面の長手方向中央部に、該長手方向の両端が上記下面の上記長手方向の両端よりも中央部側に位置する凹部を形成した合成樹脂製の基材と、該基材の上記凹部に嵌合固定した、該凹部と略同一形状で上記合成樹脂よりヤング率が高い材料からなる補強板と、を備えることを特徴としている。 
【０００９】
上記ビンディングの少なくとも一部が上記補強板の直上に位置するのが好ましい。
【発明の効果】
【００１０】
本発明によれば、合成樹脂製の基材の長手方向中央部に形成した凹部に補強板を設けているので、プレートの中央部の剛性が前部及び後部より高くなっている。そのため、ブーツからプレートに伝わった圧力がスキー板のブーツ直下部に集中し易く、しかも、回転滑走時にスキー板の中央部（ブーツ直下部）が捻れるおそれは小さい。従って、本発明のプレートを固定したスキー板は回転滑走時に十分な雪面グリップ性能を発揮する。
さらに、補強板は基材の下面の中央部に設けてある（基材の前部及び後部には設けていない）ので、中央部は撓み難いものの、基材の前部と後部が有する撓み性は損なわれない。そのため、本プレートによってスキー板の滑らかな滑走性が失われることはない。
このように本発明のプレートは、スキー板が有する滑走性を損なうことなく、スキー板のブーツ直下部の雪面グリップ性能を高めることができるので、スキー板の操作性を向上させることが可能である。
【００１１】
さらに、ビンディングの少なくとも一部を補強板の直上に位置させれば、ブーツからビンディングに掛かった圧力が補強板により集中し易くなるので、スキー板のブーツ直下部の雪面グリップ性能がより向上し、かつ、スキー板の滑らかな滑走性をより維持し易くなる。
【図面の簡単な説明】
【００１２】
【図１】本発明の一実施形態のスキー用プレートをスキー板の上面中央部に固定した状態を示す前方から見た斜視図である。
【図２】スキー用プレートの平面図である。
【図３】スキー用プレートの側面図である。
【図４】スキー用プレートの底面図である。
【発明を実施するための形態】
【００１３】
以下、添付図面を参照しながら本発明の一実施形態について説明する。なお、以下の説明中の前後方向は、図中の矢印の方向を基準としている。
図１に示すようにプレート２０は、スキー板１０とは別部材であり、スキー板１０上面の長手方向の略中央部にネジ（図示略）を利用して固定するものである。
プレート２０は、大きな構成要素として基材２１と補強板２５を備えている。
前後方向に延びる板材である基材２１はポリアミドからなる一体成形物であり、その全長は例えば４００〜７００ｍｍ、厚みは例えば１０〜２０ｍｍである。基材２１下面の長手方向中央部には、前端及び後端が略三角形状をなす凹部２２が凹設してある。凹部２２の前端及び後端を除く部分は基材２１の幅全体に渡っており、その厚みは例えば１〜５ｍｍである。また、基材２１には計８個のスキー板固定用長孔２３と計２個のスキー板固定用丸孔２４が共に貫通孔として形成してある。スキー板固定用長孔２３及びスキー板固定用丸孔２４は、その上半部の径が下半部より大きい段付き孔である。
凹部２２に嵌合してある補強板２５はアルミニウム製であり、その形状は凹部２２と略同一である。補強板２５は複数のネジ２６を利用して基材２１に対して固定してある。補強板２５の上面は凹部２２の底面（上面）に密着しており、下面は基材２１の下面と同一平面上に位置している。また、凹部２２及び補強板２５の前端部と後端部は略三角形状なので、（仮にネジ２６が無くても）補強板２５が凹部２２に対して横ずれすることはない。凹部２２の材料であるアルミニウムのヤング率は約７０ＧＰａ（ギガパスカル）であり、基材２１の構成材であるポリアミドのヤング率（３ＧＰａ−７ＧＰａ）より高い。図４に示すように、補強板２５には、凹部２２に形成した３つのスキー板固定用長孔２３の下半部と同じ平面形状であり、かつ対応するスキー板固定用長孔２３の下半部と連通する３つの貫通長孔２７と、凹部２２に形成した２つのスキー板固定用丸孔２４の下半部と同じ平面形状であり、かつ対応するスキー板固定用丸孔２４の下半部と連通する２つの貫通丸孔２８とが形成してある。
【００１４】
プレート２０は、基材２１の前半部に位置する５つのスキー板固定用長孔２３のうちの少なくとも一つ、及び、基材２１の後半部に位置する５つのスキー板固定用長孔２３のうちの少なくとも一つに上方から挿入したネジ（図示略。頭部の径がスキー板固定用長孔２３の上半部と略同一で、ネジ部の径がスキー板固定用長孔２３の下半部と略同一）を、スキー板１０の上面に形成した雌ねじ孔（図示略）に螺合することによりスキー板１０の上面に固定する。さらに、プレート２０をスキー板１０に固定した後に、基材２１上面の前後２カ所に、図２及び図３の仮想線で示すビンディング３０（トゥーピース）とビンディング３１（ヒールピース）をそれぞれネジ（図示略）を用いて固定し、ビンディング３０及びビンディング３１の少なくとも一部を補強板２５（凹部２２）の直上に位置させる。
【００１５】
プレート２０は長手方向中央部（補強板２５を固定した部分）の剛性がその前端部及び後端部（補強板２５が無い部分）より高く、しかもビンディング３０及びビンディング３１の少なくとも一部を補強板２５の直上に位置させている。従って、プレート２０の長手方向中央部は、ビンディング３０及びビンディング３１に装着したブーツ（図示略）から掛かる圧力が集中し易く、かつ、プレート２０の前端部及び後端部に比べて撓みや捻りが発生し難い。そのため、プレート２０を固定したスキー板１０の中央部（ブーツ直下部）は回転滑走時に十分な雪面グリップ性能を発揮する。
また、補強板２５は基材２１の下面の前端部及び後端部を避けた中央部に設けているので、プレート２０の中央部は撓み難いものの、基材２１が有する前部と後部の撓み性は損なわれていない。そのため、プレート２０をスキー板１０に固定しても、スキー板１０が有する滑らかな滑走性が失われることはない。
このようにプレート２０は、スキー板１０が有する滑走性を損なうことなく、ブーツ直下部の雪面グリップ性能を高めることができるので、プレート２０をスキー板１０に固定すればスキー板の操作性を向上させることが可能になる。
【００１６】
以上、本発明を上記実施形態に基づいて説明したが、本発明は上記実施形態に限定されるものではなく、様々な変形を施しながら実施可能である。
例えば、基材２１の材質はポリアミド以外の合成樹脂（例えば、ポリエチレン（PE）、ポリプロピレン（PP）、ポリウレタン（PU）、ポリアセタール（POM）、ポリカーボネート（PC）、ポリエチレンテレフタレート（PET）、ABSや、これらの変性物や混合物）であってもよく、補強板２５の材質は基材２１よりもヤング率が高いもの（例えば、３０ＧＰａ〜２００ＧＰａ程度のもの）であればアルミニウム以外のもの（例えば、アルミニウム以外の非鉄金属類、鉄、これらの合金、あるいは炭素繊維強化樹脂やガラス繊維強化樹脂などの繊維強化樹脂）であってもよい。
また、接着剤や両面テープを利用して補強板２５を基材２１に固定してもよい。
【符号の説明】
【００１７】
１０    スキー板
２０    プレート
２１    基材
２２    凹部
２３    スキー板固定用長孔
２４    スキー板固定用丸孔
２５    補強板
２６    ネジ
２７    貫通長孔
２８    貫通丸孔
３０    ビンディング（トゥーピース）
３１    ビンディング（ヒールピース）
【図１】
0005552765.tif 000002
【図２】
0005552765.tif 000003
【図３】
0005552765.tif 000004
【図４】
0005552765.tif 000005